(57)【要約】【課題】気密性をより向上させることができる配線貫通部の気密構造を提供する。【解決手段】建物内空間１０を仕切る仕切り壁１２に設けた貫通孔１４に電気設備用の配線１６を通してなる配線貫通部１８における気密性を確保するための気密構造１００であって、金属製の電線管２０と、電線管２０と貫通孔１４との間の隙間に充填される貫通部シール材２２と、電線管２０の端部における配線１６と電線管２０との間の隙間に充填される電線管端部シール材２４と、電線管２０の一方の端部側を仕切り壁１２との間で収容するプルボックス２６と、プルボックス２６に設けた入線用貫通孔３０とここを通る配線１６との間の隙間に充填される入線用シール材３６、３８と、入線用貫通孔３０における配線１６に巻き付けられる自己融着テープ４０とを備えるようにする。【選択図】図１
2013150462.tif 000002
【特許請求の範囲】
【請求項１】
建物内空間を仕切る仕切り壁に設けた貫通孔に電気設備用の配線を通してなる配線貫通部における気密性を確保するための気密構造であって、
前記貫通孔を貫通するように設けられ、内部に前記配線が通される金属製の電線管と、
前記電線管と前記貫通孔との間の隙間に充填され、この隙間を塞ぐ貫通部シール材と、
前記電線管の端部における前記配線と前記電線管との間の隙間に充填され、この隙間を塞ぐ電線管端部シール材と、
前記電線管の一方の端部側から外方に延びる前記配線を前記仕切り壁との間で収容する周壁を有するプルボックスと、
前記プルボックスの周壁に設けた入線用貫通孔とこの貫通孔を通る前記配線との間の隙間に充填され、この隙間を塞ぐ入線用シール材と、
前記入線用貫通孔における前記配線に巻き付けられる自己融着テープとを備えることを特徴とする配線貫通部の気密構造。
【請求項２】
建物内空間を仕切る仕切り壁に設けた貫通孔に電気設備用の配線を通してなる配線貫通部における気密性を確保するための気密構造であって、
前記貫通孔を塞ぐように前記貫通孔に嵌め込まれ、前記配線を通すための配線貫通孔を有するブロック状の嵌込部材と、
前記配線貫通孔を貫通するように設けられ、内部に前記配線が通される金属製の電線管と、
前記電線管の端部における前記配線と前記電線管との間の隙間に充填され、この隙間を塞ぐ電線管端部シール材とを備えることを特徴とする配線貫通部の気密構造。
【発明の詳細な説明】
【技術分野】
【０００１】
本発明は、建物の天井裏の仕切り壁等に設けた貫通孔に電気配線やケーブルなどを通す場合において、この貫通部の気密性を確保するようにした配線貫通部の気密構造に関するものである。
【背景技術】
【０００２】
従来、医薬品などを製造する工場等の建物においては、ステロイド等の高い薬理活性を持つ薬剤を取り扱うエリアと、そうではない一般の薬剤等を取り扱うエリアとを仕切り壁で区画して同一フロア内に設ける場合がある。ステロイド等の高い薬理活性を持つ薬剤は他のエリアの製品や作業員等に深刻な影響を与えるおそれがあることから、外部に漏れ出ないように当該エリア内に封じ込める必要がある。
【０００３】
この封じ込めの方法としては、仕切り壁や出入り口などに形成される隙間をシール材などで塞ぐことによる気密処理のほか、天井裏を介した漏洩を防ぐために行う気密処理がある。天井裏には通常、電気設備用の配線やケーブルなどが複数の部屋間を跨ぐように配置されることから、部屋の仕切り壁を天井裏にも延設し、この仕切り壁に貫通孔を設けて電気設備用の配線やケーブルなどを通すような処理を行う。この場合、配線貫通部の隙間にパテなどを詰めて塞ぎ、気密性を十分に確保することが多い。
【０００４】
この配線貫通部に関連する従来の技術としては、例えば図３、図４に示される構造や、特許文献１の気密構造などが知られている。図３に示される構造は、配線１が内挿してある金属製の電線管２を貫通孔３に挿通し、電線管２と貫通孔３との間の隙間をシール材４で塞ぐとともに、電線管２の両端開口にパテ５などを詰めて配線１との間の隙間を塞ぎ、気密性を確保するようにしたものである。
【０００５】
また、特許文献１の構造は、天井面に穿設した貫通穴に、嵌入部と係止部とからなる気密ブッシングを嵌め入れ、係止部内の電気配線用通路に保護配管を隙間なく密着しながら挿通することで、配線の貫通部の気密性を高めるようにしたものである。
【０００６】
また、図４に示される構造は、仕切り壁６に設けた貫通孔３に枠材７を設け、この枠材７に複数本の配線１を収容するケーブルラック８を挿通配置したものである。ケーブルラック８は上方が開口した凹状断面の形態であることから、気密性を確保するためには、枠材７とケーブルラック８との間の隙間、ケーブルラック８内の配線１周囲の隙間等にボードやパテなどを詰めて塞ぐ必要がある。
【先行技術文献】
【特許文献】
【０００７】
【特許文献１】特開２００１−２６２７２５号公報
【発明の概要】
【発明が解決しようとする課題】
【０００８】
ところで、上記の従来の図３に示される構造においては、貫通孔３の電線管２周囲の隙間を塞ぐシール材４が何らかの原因で剥離等すると、直ちに気密性が損なわれることになる。同様に、特許文献１に示される構造においても、気密ブッシングが脱落したり損傷すると、直ちに気密性が損なわれることになる。
【０００９】
また、図４に示される構造においては、ケーブルラック８内の複数の配線１間の隙間にパテなどを詰めて気密性を確保することは難しく実用的ではない。なお、ケーブルラックを用いずに、仕切り壁に配線本数分の貫通孔を空けて電線管を設け、個々の貫通孔に対してパテ詰めをする等の処理を行うことも考えられるが、薄いボードからなる仕切り壁に多数の孔を集中的に配置することは強度低下を招いたり、ひび割れを誘発するおそれがあり好ましくない。
【００１０】
こうしたことから、気密性をより向上させることができる配線貫通部の気密構造の開発が望まれていた。
【００１１】
本発明は、上記に鑑みてなされたものであって、気密性をより向上させることができる配線貫通部の気密構造を提供することを目的とする。
【課題を解決するための手段】
【００１２】
上記した課題を解決し、目的を達成するために、本発明の請求項１に係る配線貫通部の気密構造は、建物内空間を仕切る仕切り壁に設けた貫通孔に電気設備用の配線を通してなる配線貫通部における気密性を確保するための気密構造であって、前記貫通孔を貫通するように設けられ、内部に前記配線が通される金属製の電線管と、前記電線管と前記貫通孔との間の隙間に充填され、この隙間を塞ぐ貫通部シール材と、前記電線管の端部における前記配線と前記電線管との間の隙間に充填され、この隙間を塞ぐ電線管端部シール材と、前記電線管の一方の端部側から外方に延びる前記配線を前記仕切り壁との間で収容する周壁を有するプルボックスと、前記プルボックスの周壁に設けた入線用貫通孔とこの貫通孔を通る前記配線との間の隙間に充填され、この隙間を塞ぐ入線用シール材と、前記入線用貫通孔における前記配線に巻き付けられる自己融着テープとを備えることを特徴とする。
【００１３】
また、本発明の請求項２に係る配線貫通部の気密構造は、建物内空間を仕切る仕切り壁に設けた貫通孔に電気設備用の配線を通してなる配線貫通部における気密性を確保するための気密構造であって、前記貫通孔を塞ぐように前記貫通孔に嵌め込まれ、前記配線を通すための配線貫通孔を有するブロック状の嵌込部材と、前記配線貫通孔を貫通するように設けられ、内部に前記配線が通される金属製の電線管と、前記電線管の端部における前記配線と前記電線管との間の隙間に充填され、この隙間を塞ぐ電線管端部シール材とを備えることを特徴とする。
【発明の効果】
【００１４】
本発明によれば、建物内空間を仕切る仕切り壁に設けた貫通孔に電気設備用の配線を通してなる配線貫通部における気密性を確保するための気密構造であって、前記貫通孔を貫通するように設けられ、内部に前記配線が通される金属製の電線管と、前記電線管と前記貫通孔との間の隙間に充填され、この隙間を塞ぐ貫通部シール材と、前記電線管の端部における前記配線と前記電線管との間の隙間に充填され、この隙間を塞ぐ電線管端部シール材と、前記電線管の一方の端部側から外方に延びる前記配線を前記仕切り壁との間で収容する周壁を有するプルボックスと、前記プルボックスの周壁に設けた入線用貫通孔とこの貫通孔を通る前記配線との間の隙間に充填され、この隙間を塞ぐ入線用シール材と、前記入線用貫通孔における前記配線に巻き付けられる自己融着テープとを備えるので、配線貫通部に形成される隙間は、貫通部シール材とプルボックスの二段構えにより塞がれるので、配線貫通部の気密性を従来よりも向上させることができるという効果を奏する。
【００１５】
また、本発明の他の構成によれば、建物内空間を仕切る仕切り壁に設けた貫通孔に電気設備用の配線を通してなる配線貫通部における気密性を確保するための気密構造であって、前記貫通孔を塞ぐように前記貫通孔に嵌め込まれ、前記配線を通すための配線貫通孔を有するブロック状の嵌込部材と、前記配線貫通孔を貫通するように設けられ、内部に前記配線が通される金属製の電線管と、前記電線管の端部における前記配線と前記電線管との間の隙間に充填され、この隙間を塞ぐ電線管端部シール材とを備えるので、特に複数本の配線が貫通する場合に、仕切り壁の強度低下を招くことなく、配線貫通部の気密性を従来よりも向上させることができるという効果を奏する。
【図面の簡単な説明】
【００１６】
【図１】図１は、本発明に係る配線貫通部の気密構造の実施例１を示す側断面図である。
【図２】図２は、本発明に係る配線貫通部の気密構造の実施例２を示す側断面図である。
【図３】図３は、従来の配線貫通部の気密構造の一例を示す側断面図である。
【図４】図４は、従来の配線貫通部の気密構造の他の一例を示す側断面図である。
【発明を実施するための形態】
【００１７】
以下に、本発明に係る配線貫通部の気密構造の実施の形態を図面に基づいて詳細に説明する。なお、この実施例では建物の部屋の天井裏に適用される場合を例にとり説明するが、この実施例によりこの発明が限定されるものではない。
【００１８】
（実施例１）
まず、実施例１について説明する。
図１に示すように、本発明の実施例１に係る配線貫通部の気密構造１００は、建物内の天井裏の空間１０を仕切る仕切り壁１２に設けた円形の貫通孔１４に、電気設備用の配線（またはケーブル）１６を通してなる配線貫通部１８における気密性を確保するための気密構造である。仕切り壁１２は、プラスターボード１２ａ、１２ｂと軽量鉄骨１２ｃとにより構成してある。
【００１９】
この気密構造１００は、貫通孔１４を貫通するように設けられ、内部に配線１６が通される金属製の電線管２０を備えている。また、この気密構造１００は、電線管２０と貫通孔１４との間の隙間に充填され、この隙間を塞ぐ貫通部シール材２２と、電線管２０の両端部における配線１６と電線管２０との間の隙間に充填され、この隙間を塞ぐ電線管端部シール材２４を備えている。なお、本実施例１では、電線管２０の左端部側の電線管端部シール材２４を耐火材２４ａで被覆した事例を示してある。
【００２０】
ここで、貫通部シール材２２は、ジプタイト材などの無機質充填材で構成することができる。また、電線管端部シール材２４はパテ材などで構成することができ、耐火材２４ａはフィブロック材などのプラスチック系の耐火材料で構成することができる。
【００２１】
また、この気密構造１００は、金属製のプルボックス２６を備えている。プルボックス２６は、電線管２０の右端部側から外方に延びる配線１６を、仕切り壁１２との間で収容する周壁２６ａと開閉扉２６ｂとを有している。このプルボックス２６と仕切り壁１２の接続部の隙間、開閉扉２６ｂの周囲の隙間にはコーキング材２８が充填してあり気密処理をしてある。
【００２２】
プルボックス２６の周壁２６ａの下側には、入線用貫通孔３０が設けてある。入線用貫通孔３０の外部には挿通孔３２を有するコネクタ３４が取り付けてある。コネクタ３４と周壁２６ａの接続部の隙間にはコーキング材３６（入線用シール材）が充填してあり、コネクタ３４の挿通孔３２とここを通る配線１６の間の隙間にはパテ材３８（入線用シール材）が充填してある。
【００２３】
また、入線用貫通孔３０とコネクタ３４の挿通孔３２における配線１６には自己融着テープ４０が巻き付けてあり、自己融着テープ４０が孔３０、３２と配線１６との間の隙間を塞ぐことで気密性が高められている。この自己融着テープ４０は、配線１６が複数本ある場合には各配線毎に巻き付けるようにする。なお、プルボックス２６は図示しない内部の取付片とビス４２を介して仕切り壁１２に固定してある。ビス４２の周りにも図示しないシール材が充填してあり気密処理がなされている。
【００２４】
上記のように構成した実施例１によれば、配線貫通部１８に形成される隙間は、貫通部シール材２２とプルボックス２６の二段構えにより塞がれるので、配線貫通部１８の気密性を従来よりも向上させることができる。また、天井裏の空間１０においては、プルボックス２６が配置されない仕切り壁１２の左側を、ステロイド等の高い薬理活性を持つ薬剤の封じ込めエリア側として陰圧に設定すれば、プルボックス２６が仕切り壁１２に向けて押し付けられ、剥離しにくくなるので気密性をより高めることができる。
【００２５】
（実施例２）
次に、実施例２について説明する。
図２に示すように、本発明の実施例２に係る配線貫通部の気密構造２００は、建物内の天井裏の空間１０を仕切る仕切り壁１２に設けた四角形断面の貫通孔４４に、電気設備用の配線（またはケーブル）１６を通してなる配線貫通部４６における気密性を確保するための気密構造である。仕切り壁１２は、プラスターボード１２ａ、１２ｂと軽量鉄骨１２ｃとにより構成してある。
【００２６】
この気密構造２００は、貫通孔４４を塞ぐように貫通孔４４に嵌め込まれ、配線１６毎にそれぞれ通すための複数の配線貫通孔４８を有する直方体ブロック状の金属製の嵌込部材５０を備えている。
【００２７】
また、この気密構造２００は、配線貫通孔４８を貫通するように設けられ、内部に配線１６が通される金属製の電線管５２と、電線管５２の両端部における配線１６と電線管５２との間の隙間に充填され、この隙間を塞ぐ電線管端部シール材５４とを備えている。ここで、配線１６は、仕切り壁１２から少し離れた位置に設けてあるケーブルラック５６から電線管５２側に延設してある。また、電線管端部シール材５４は、フィブロック材などの耐火材料で構成することができる。
【００２８】
上記のように構成した実施例２によれば、特に複数本の配線１６を貫通させる場合において、仕切り壁１２の強度低下を招くことなく、配線貫通部４６の気密性を従来よりも向上させることができる。
【００２９】
以上説明したように、本発明によれば、建物内空間を仕切る仕切り壁に設けた貫通孔に電気設備用の配線を通してなる配線貫通部における気密性を確保するための気密構造であって、前記貫通孔を貫通するように設けられ、内部に前記配線が通される金属製の電線管と、前記電線管と前記貫通孔との間の隙間に充填され、この隙間を塞ぐ貫通部シール材と、前記電線管の端部における前記配線と前記電線管との間の隙間に充填され、この隙間を塞ぐ電線管端部シール材と、前記電線管の一方の端部側から外方に延びる前記配線を前記仕切り壁との間で収容する周壁を有するプルボックスと、前記プルボックスの周壁に設けた入線用貫通孔とこの貫通孔を通る前記配線との間の隙間に充填され、この隙間を塞ぐ入線用シール材と、前記入線用貫通孔における前記配線に巻き付けられる自己融着テープとを備えるので、配線貫通部に形成される隙間は、貫通部シール材とプルボックスの二段構えにより塞がれるので、配線貫通部の気密性を従来よりも向上させることができる。
【００３０】
また、本発明の他の構成によれば、建物内空間を仕切る仕切り壁に設けた貫通孔に電気設備用の配線を通してなる配線貫通部における気密性を確保するための気密構造であって、前記貫通孔を塞ぐように前記貫通孔に嵌め込まれ、前記配線を通すための配線貫通孔を有するブロック状の嵌込部材と、前記配線貫通孔を貫通するように設けられ、内部に前記配線が通される金属製の電線管と、前記電線管の端部における前記配線と前記電線管との間の隙間に充填され、この隙間を塞ぐ電線管端部シール材とを備えるので、特に複数本の配線が貫通する場合に、仕切り壁の強度低下を招くことなく、配線貫通部の気密性を従来よりも向上させることができる。
【産業上の利用可能性】
【００３１】
以上のように、本発明に係る配線貫通部の気密構造は、建物の天井裏の仕切り壁等に設けた貫通孔に電気配線やケーブルなどを通す場合に有用であり、特に、配線貫通部の気密性をより向上させるのに適している。
【符号の説明】
【００３２】
１０  天井裏の空間
１２  仕切り壁
１２ａ，１２ｂ  プラスターボード
１２ｃ  軽量鉄骨
１４  貫通孔
１６  配線
１８  配管貫通部
２０  電線管
２２  貫通部シール材
２４  電線管端部シール材
２６  プルボックス
２６ａ  周壁
２８  コーキング材
３０  入線用貫通孔
３２  挿通孔
３４  コネクタ
３６  コーキング材（入線用シール材）
３８  パテ材（入線用シール材）
４０  自己融着テープ
４２  ビス
４４  貫通孔
４６  配線貫通部
４８  配線貫通孔
５０  嵌込部材
５２  電線管
５４  電線管端部シール材
５６  ケーブルラック
１００，２００  配線貫通部の気密構造
【図１】
2013150462.tif 000003
【図２】
2013150462.tif 000004
【図３】
2013150462.tif 000005
【図４】
2013150462.tif 000006